【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
被覆微粒子無機材料であって、
（ｉ）二酸化チタン、ドープ二酸化チタン、およびそれらの組み合わせから選択される微粒子無機材料を含み、ここで、前記微粒子無機材料は、０．４μｍ〜２μｍの平均結晶サイズを有し、および
（ｉｉ）前記微粒子無機材料上に被覆を含み、前記被覆は、第一層および第二層を含み、ここで、前記第一層のための材料は、無機酸化物および無機リン酸塩から選択される一つ以上の材料であり、
前記無機酸化物は、（またはそれぞれ、）
（ａ）Ｔｉ、Ｚｒ、およびＺｎから選択されるグループ４（ＩＶＢ）およびグループ１２（ＩＩＢ）遷移金属、および
（ｂ）Ｓｉ、Ｐ、およびＳｎから選択されるグループ１３〜グループ１５（ＩＩＩＡ−ＶＡ）ｐ−ブロック要素、および
（ｃ）ランタニド、
の酸化物から独立して選択され、
前記無機リン酸塩は、（またはそれぞれ、）
（ｉ）Ｈ、Ｌｉ、Ｎａ、Ｋ、Ｒｂ、Ｂｅ、Ｍｇ、Ｃａ、およびＳｒから選択されるグループ１（ＩＡ）アルカリ金属、およびグループ２（ＩＩＡ）アルカリ土類金属、および
（ｉｉ）Ｓｃ、Ｙ、ＴｉおよびＺｒから選択されるグループ３（ＩＩＩＡ）およびグループ４（ＩＶＢ）遷移金属、および
（ｉｉｉ）Ａｌ、Ｇａ、Ｉｎ、Ｔｌ、Ｇｅ、Ｓｎ、およびＰｂから選択されるグループ１３〜グループ１５（ＩＩＩＡ−ＶＡ）ｐ−ブロック要素
のリン酸塩から独立して選択され、
ここで、前記第二層のための材料はアルミナであり、
ここで、前記微粒子無機材料上における前記第一層の量は、前記微粒子無機材料の全量に対して前記第一層の材料の全量を考慮すると、０．１％ｗ／ｗ〜２．２％ｗ／ｗであり、
および、ここで、前記微粒子無機材料上における前記第二層の量は、前記微粒子無機材料の全量に対して前記第二層の材料の全量を考慮すると、０．１％ｗ／ｗ〜３．５％ｗ／ｗであり、
および、ここで、前記被覆の全量は、前記微粒子無機材料の全量に対して前記第一層および前記第二層の全量を考慮すると、０．２％ｗ／ｗ〜４．５％ｗ／ｗである、
被覆微粒子無機材料。
【請求項２】
担体と共に使用される請求項１に従って定義される被覆微粒子無機材料を含む生産物であって、前記生産物は、塗料であり、樹脂と共に前記被覆微粒子無機材料を含む生産物。
【請求項３】
前記樹脂は、３００ｎｍで０．０２／ミクロン未満の減衰係数を有する、請求項２に記載の生産物。
【請求項４】
前記樹脂は、３００ｎｍで０．０１５／ミクロン未満の減衰係数を有する、請求項３に記載の生産物。
【請求項５】
前記樹脂は、３００ｎｍで０．０１２／ミクロン未満の減衰係数を有する、請求項４に記載の生産物。
【請求項６】
前記樹脂は、ポリエステルメラミンホルムアルデヒド、ＰＶＤＦアクリル、およびアクリルメラミンホルムアルデヒドからなる群から選択される、請求項５に記載の生産物。
【請求項７】
微粒子無機材料の光触媒活性をより低くするための微粒子無機材料上における被覆の使用であって、ここで、
（ｉ）前記微粒子無機材料は、二酸化チタン、ドープ二酸化チタン、およびそれらの組み合わせから選択され、ここで、前記微粒子無機材料は、０．４μｍ〜２μｍの平均結晶サイズを有し、および
（ｉｉ）前記微粒子無機材料上における前記被覆は、第一層および第二層を含み、
ここで、前記第一層のための材料は、無機酸化物および無機リン酸塩から選択される一つ以上の材料であり、
前記無機酸化物は、（またはそれぞれ、）
（ａ）Ｔｉ、Ｚｒ、およびＺｎから選択されるグループ４（ＩＶＢ）およびグループ１２（ＩＩＢ）遷移金属、および
（ｂ）Ｓｉ、Ｐ、およびＳｎから選択されるグループ１３〜グループ１５（ＩＩＩＡ−ＶＡ）ｐ−ブロック要素、および
（ｃ）ランタニド、
の酸化物から独立して選択され、
前記無機リン酸塩は、（またはそれぞれ、）
（ｉ）Ｈ、Ｌｉ、Ｎａ、Ｋ、Ｒｂ、Ｂｅ、Ｍｇ、Ｃａ、およびＳｒから選択されるグループ１（ＩＡ）アルカリ金属、およびグループ２（ＩＩＡ）アルカリ土類金属、および
（ｉｉ）Ｓｃ、Ｙ、ＴｉおよびＺｒから選択されるグループ３（ＩＩＩＡ）およびグループ４（ＩＶＢ）遷移金属、および
（ｉｉｉ）Ａｌ、Ｇａ、Ｉｎ、Ｔｌ、Ｇｅ、Ｓｎ、およびＰｂから選択されるグループ１３〜グループ１５（ＩＩＩＡ−ＶＡ）ｐ−ブロック要素のリン酸塩から独立して選択され、
ここで、前記第二層のための材料はアルミナであり、
ここで、前記微粒子無機材料上における前記第一層の量は、前記微粒子無機材料の全量に対して前記第一層の材料の全量を考慮すると、０．１％ｗ／ｗ〜２．２％ｗ／ｗであり、
および、ここで、前記微粒子無機材料上における前記第二層の量は、前記微粒子無機材料の全量に対して前記第二層の材料の全量を考慮すると、０．１％ｗ／ｗ〜３．５％ｗ／ｗであり、
および、ここで、前記被覆の全量は、前記微粒子無機材料の全量に対して前記第一層および前記第二層の全量を考慮すると、０．２％ｗ／ｗ〜４．５％ｗ／ｗである、
使用。
【請求項８】
前記微粒子無機材料上における前記被覆は、樹脂とともに前記微粒子無機材料を有する塗料の耐久性及び／又は寿命をを向上させるように機能し、前記塗料は、使用中に太陽に曝され、前記樹脂は、３００ｎｍで０．０２／ミクロン未満の減衰係数を有する、請求項７に記載の使用。
【請求項９】
前記第一層のための材料は、Ｔｉ、Ｚｒ、Ｚｎ、Ｓｉ、Ｐ、Ｓｎ、およびＣｅの酸化物から独立して選択される一つ以上の無機酸化物、および／または、Ａｌ、Ｔｉ、Ｚｒ、およびＳｎのリン酸塩から独立して選択される一つ以上の無機リン酸塩である、請求項１に記載の被覆微粒子無機材料または請求項２〜請求項６のいずれか一項に記載の生産物。
【請求項１０】
前記第一層のための材料は、Ｚｒ、Ｓｉ、Ｐ、およびＣｅの酸化物から独立して選択される一つ以上の無機酸化物、および／または、Ａｌ、およびＺｒのリン酸塩から独立して選択される一つ以上の無機リン酸塩である、請求項９に記載の被覆微粒子無機材料または生産物。
【請求項１１】
前記第一層のための材料は、シリカ、および／またはリン酸アルミニウムを含む、請求項１０に記載の被覆微粒子無機材料または生産物。
【請求項１２】
前記第一層のための材料は、シリカを含む、請求項１１に記載の被覆微粒子無機材料または生産物。
【請求項１３】
前記第一層のための材料は、密なシリカを含む、請求項１２に記載の被覆微粒子無機材料または生産物。
【請求項１４】
前記微粒子無機材料上における前記第一層の量は、
（ａ）前記微粒子無機材料の全量に対して前記第一層の材料の全量を考慮すると、０．１％ｗ／ｗ〜２％ｗ／ｗであり、
（ｂ）前記微粒子無機材料の全量に対して前記第一層の材料の全量を考慮すると、０．２％ｗ／ｗ〜１．５％ｗ／ｗであり、
（ｃ）前記微粒子無機材料の全量に対して前記第一層の材料の全量を考慮すると、０．３％ｗ／ｗ〜１．４％ｗ／ｗであり、
（ｄ）前記微粒子無機材料の全量に対して前記第一層の材料の全量を考慮すると、０．４％ｗ／ｗ〜１．３％ｗ／ｗであり、または
（ｅ）前記微粒子無機材料の全量に対して前記第一層の材料の全量を考慮すると、０．５％ｗ／ｗ〜１．２％ｗ／ｗであり、または
（ｆ）前記微粒子無機材料の全量に対して前記第一層の材料の全量を考慮すると、０．７％ｗ／ｗ〜１．２％ｗ／ｗである、
請求項１に記載の被覆微粒子無機材料または請求項９〜請求項１３のいずれか一項に記載の被覆微粒子無機材料若しくは生産物。
【請求項１５】
前記微粒子無機材料上における前記第一層の量は、
（ａ）前記微粒子無機材料の全量に対して前記第一層の材料の全量を考慮すると、０．３％ｗ／ｗ〜１．２％ｗ／ｗであり、または
（ｂ）前記微粒子無機材料の全量に対して前記第一層の材料の全量を考慮すると、０．３％ｗ／ｗ〜１．１％ｗ／ｗであり、または
（ｃ）前記微粒子無機材料の全量に対して前記第一層の材料の全量を考慮すると、０．４％ｗ／ｗ〜１．１％ｗ／ｗであり、または
（ｄ）前記微粒子無機材料の全量に対して前記第一層の材料の全量を考慮すると、０．５％ｗ／ｗ〜１％ｗ／ｗであり、または
（ｅ）前記微粒子無機材料の全量に対して前記第一層の材料の全量を考慮すると、０．６％ｗ／ｗ〜１％ｗ／ｗであり、または
（ｆ）前記微粒子無機材料の全量に対して前記第一層の材料の全量を考慮すると、０．７％ｗ／ｗ〜１％ｗ／ｗである、
請求項１に記載の被覆微粒子無機材料または請求項９〜請求項１４のいずれか一項に記載の被覆微粒子無機材料若しくは生産物。
【請求項１６】
前記微粒子無機材料上における前記第二層の量は、
（ａ）前記微粒子無機材料の全量に対して前記第二層の材料の全量を考慮すると、０．２％ｗ／ｗ〜３．５％ｗ／ｗであり、
（ｂ）前記微粒子無機材料の全量に対して前記第二層の材料の全量を考慮すると、０．３％ｗ／ｗ〜３．５％ｗ／ｗであり、
（ｃ）前記微粒子無機材料の全量に対して前記第二層の材料の全量を考慮すると、０．４％ｗ／ｗ〜３．２％ｗ／ｗであり、
（ｄ）前記微粒子無機材料の全量に対して前記第二層の材料の全量を考慮すると、０．４％ｗ／ｗ〜３．１％ｗ／ｗであり、または
（ｅ）前記微粒子無機材料の全量に対して前記第二層の材料の全量を考慮すると、０．５％ｗ／ｗ〜３％ｗ／ｗである、
請求項１に記載の被覆微粒子無機材料または請求項９〜請求項１５のいずれか一項に記載の被覆微粒子無機材料若しくは生産物。
【請求項１７】
前記被覆の全量は、
（ａ）前記微粒子無機材料の全量に対して前記第一層および前記第二層の材料の全量を考慮すると、０．３％ｗ／ｗ〜４．５％ｗ／ｗであり、
（ｂ）前記微粒子無機材料の全量に対して前記第一層および前記第二層の材料の全量を考慮すると、０．５％ｗ／ｗ〜４．５％ｗ／ｗであり、
（ｃ）前記微粒子無機材料の全量に対して前記第一層および前記第二層の材料の全量を考慮すると、１％ｗ／ｗ〜４．３％ｗ／ｗであり、
（ｄ）前記微粒子無機材料の全量に対して前記第一層および前記第二層の材料の全量を考慮すると、１．２％ｗ／ｗ〜４．２％ｗ／ｗであり、
（ｅ）前記微粒子無機材料の全量に対して前記第一層および前記第二層の材料の全量を考慮すると、１．５％ｗ／ｗ〜４．２％ｗ／ｗであり、または
（ｆ）前記微粒子無機材料の全量に対して前記第一層および前記第二層の材料の全量を考慮すると、１．６％ｗ／ｗ〜４．１％ｗ／ｗである、
請求項１に記載の被覆微粒子無機材料または請求項９〜請求項１６のいずれか一項に記載の被覆微粒子無機材料若しくは生産物。
【請求項１８】
前記被覆の全量は、
（ａ）前記微粒子無機材料の全量に対して前記第一層および前記第二層の材料の全量を考慮すると、０．７％ｗ／ｗ〜４．３％ｗ／ｗであり、
（ｂ）前記微粒子無機材料の全量に対して前記第一層および前記第二層の材料の全量を考慮すると、０．８％ｗ／ｗ〜４．２％ｗ／ｗであり、
（ｃ）前記微粒子無機材料の全量に対して前記第一層および前記第二層の材料の全量を考慮すると、１％ｗ／ｗ〜４．１％ｗ／ｗであり、
（ｄ）前記微粒子無機材料の全量に対して前記第一層および前記第二層の材料の全量を考慮すると、１．５％ｗ／ｗ〜３．５％ｗ／ｗであり、
（ｅ）前記微粒子無機材料の全量に対して前記第一層および前記第二層の材料の全量を考慮すると、１．５％ｗ／ｗ〜３．３％ｗ／ｗであり、または
（ｆ）前記微粒子無機材料の全量に対して前記第一層および前記第二層の材料の全量を考慮すると、１．６％ｗ／ｗ〜３．２％ｗ／ｗである、
請求項１に記載の被覆微粒子無機材料または請求項９〜請求項１７のいずれか一項に記載の被覆微粒子無機材料若しくは生産物。
【請求項１９】
使用中に太陽に曝される生産物の耐久性および／または存続期間を改善するための、請求項１、または請求項９〜請求項１８のいずれか一項に従って定義される被覆微粒子無機材料の使用。
【請求項２０】
被覆微粒子無機材料の調製方法であって、
（ｉ）微粒子無機材料を提供すること、ここで、前記微粒子無機材料は、二酸化チタン、ドープ二酸化チタン、およびそれらの組み合わせから選択され、ここで、前記微粒子無機材料は、０．４μｍ〜２μｍの平均結晶サイズを有し、および
（ｉｉ）前記微粒子無機材料上に被覆を適用すること、
を含み、
ここで、前記微粒子無機材料上の被覆は、第一層および第二層を含み、
前記第一層のための材料は、無機酸化物および無機リン酸塩から選択される一つ以上の材料であり、
前記無機酸化物は、（またはそれぞれ、）
（ａ）Ｔｉ、Ｚｒ、およびＺｎから選択されるグループ４（ＩＶＢ）およびグループ１２（ＩＩＢ）遷移金属、および
（ｂ）Ｓｉ、Ｐ、およびＳｎから選択されるグループ１３〜グループ１５（ＩＩＩＡ−ＶＡ）ｐ−ブロック要素、および
（ｃ）ランタニド、
の酸化物から独立して選択され、
前記無機リン酸塩は、（またはそれぞれ、）
（ｉ）Ｈ、Ｌｉ、Ｎａ、Ｋ、Ｒｂ、Ｂｅ、Ｍｇ、Ｃａ、およびＳｒから選択されるグループ１（ＩＡ）アルカリ金属、およびグループ２（ＩＩＡ）アルカリ土類金属、および
（ｉｉ）Ｓｃ、Ｙ、ＴｉおよびＺｒから選択されるグループ３（ＩＩＩＡ）およびグループ４（ＩＶＢ）遷移金属、および
（ｉｉｉ）Ａｌ、Ｇａ、Ｉｎ、Ｔｌ、Ｇｅ、Ｓｎ、およびＰｂから選択されるグループ１３〜グループ１５（ＩＩＩＡ−ＶＡ）ｐ−ブロック要素
のリン酸塩から独立して選択され、
ここで、前記第二層のための材料はアルミナであり、
ここで、前記微粒子無機材料上における前記第一層の量は、前記微粒子無機材料の全量に対して前記第一層の材料の全量を考慮すると、０．１％ｗ／ｗ〜２．２％ｗ／ｗであり、
および、ここで、前記微粒子無機材料上における前記第二層の量は、前記微粒子無機材料の全量に対して前記第二層の材料の全量を考慮すると、０．１％ｗ／ｗ〜３．５％ｗ／ｗであり、
および、ここで、前記被覆の全量は、前記微粒子無機材料の全量に対して前記第一層および前記第二層の全量を考慮すると、０．２％ｗ／ｗ〜４．５％ｗ／ｗである、
方法。